(57)【特許請求の範囲】
【請求項１】
水平面と垂直面とが交互に形成された左右一対の側板と、該側板の各水平面に少なくとも２つ形成された凹溝にその端部が嵌合されて前記一対の側板間に架け渡される少なくとも２つの架設部材と、前記架設部材の上面及び前記水平面に配設される下地踏板と、前記垂直面に配設される蹴込板と、前記下地踏板の上面に固定される化粧踏板と、を備え、
前記下地踏板は、前記下地踏板の下面に当接した状態で固定される踏板当接部と、前記側板の内側面に当接した状態で固定される側板当接部とを有する踏板固定具を側面視で２つの前記凹溝の間に配置し固定されることを特徴とする階段。
【請求項２】
請求項１において、
前記下地踏板は、その前端面から下面にかけて切欠き形成された切欠部を有し、
前記切欠部に前記蹴込板の上端面を合わせた状態で固定されていることを特徴とする階段。
【請求項３】
請求項２において、
前記下地踏板の上面から前端面及び下面に跨って配設される段鼻部材をさらに備え、
前記段鼻部材は、その一方の端面が前記化粧踏板の前端面と当接するように設けられ、その他方の端面が前記蹴込板の前方上端部と対向するように形成された断面略Ｕ字形状とされていることを特徴とする階段。
【発明の詳細な説明】
【技術分野】
【０００１】
本発明は、住居等の建物に設置される階段に関する。
【背景技術】
【０００２】
従来より、化粧材を施工する前の施工途中に仮設階段として使用できる階段が提案されており、例えば下記特許文献１が挙げられる。下記特許文献１には、側板の水平面と鉛直面とが交差する前方部分を切り欠き、その切り欠いた部分に架橋材を釘等で強固に固定して、架橋材を一対の側板間に配設することが開示されている。そして、その架橋材と一対の側板の水平面の上に下地踏板を固定することで、仮設階段、すなわち作業用昇降通路として使用可能とすることが記載されている。
【先行技術文献】
【特許文献】
【０００３】
【特許文献１】特開２００１−３２９６６９号公報
【発明の概要】
【発明が解決しようとする課題】
【０００４】
しかしながら、上記特許文献１に開示されている階段は、架設部材を側板の水平面に釘等の固着具を用いて固定する必要があるため、手間がかかってしまう。また上記特許文献1に記載の架橋材は水平出しがし易いように下地踏板の前方位置に配設されたもので、仮設階段として使用する際の踏み面の強度を向上させるものではない。
【０００５】
本発明は、上記の点を鑑みて提案されたものであり、その目的は、仮設階段としての強度がありながら、設置が容易な階段を提供することにある。
【課題を解決するための手段】
【０００６】
上記目的を達成するために、本発明に係る階段は、水平面と垂直面とが交互に形成された左右一対の側板と、該側板の各水平面に少なくとも２つ形成された凹溝にその端部が嵌合されて前記一対の側板間に架け渡される少なくとも２つの架設部材と、前記架設部材の上面及び前記水平面に配設される下地踏板と、前記垂直面に配設される蹴込板と、前記下地踏板の上面に固定される化粧踏板と、を備え、前記下地踏板は、前記下地踏板の下面に当接した状態で固定される踏板当接部と、前記側板の内側面に当接した状態で固定される側板当接部とを有する踏板固定具を側面視で２つの前記凹溝の間に配置し固定されることを特徴とする。
【発明の効果】
【０００７】
本発明に係る階段は、上述のような構成となっているため、仮設階段としての強度がありながら、設置が容易である。
【図面の簡単な説明】
【０００８】
【図１】本発明の実施形態に係る階段の施工過程を説明するために模式的に示した図であり、（ａ）は凹溝に架設部材を嵌合させ、側板間に架け渡した階段の施工過程を示す側面図、（ｂ）は（ａ）の斜視図である。
【図２】（ａ）は同階段の施工過程を示す側面図、（ｂ）は（ａ）の状態における下地踏板の固定状態を説明する図であり、仮設階段を背面側から見た斜視図である。
【図３】（ａ）及び（ｂ）は同階段の施工過程を示す側面図である。
【図４】（ａ）及び（ｂ）は同階段の施工過程を示す側面図である。
【図５】同階段を背面側から見た斜視図である。
【発明を実施するための形態】
【０００９】
以下に本発明の実施の形態について、図面に基づいて説明する。
なお、以下の実施形態では、施工された階段に下階側から対面した状態を基準として、手前側を前方、その逆側を後方（奥方）とし、また、その状態を基準として、上下方向・左右方向、縦横方向等を説明する。図１〜図５は、本実施形態に係る階段を説明するための説明図であり、一部の図では、他図に付している詳細な符号の一部を省略している。また図４（ｂ）に示す拡大図は説明のため、一部分解側面図としている。
【００１０】
本実施形態に係る階段１は、水平面２ａと垂直面２ｂとが交互に形成された左右一対の側板２，２と、側板２の各水平面２ａに形成された凹溝２ｃにその端部３ｂが嵌合されて一対の側板２，２間に架け渡される架設部材３とを備える。また、階段１は、架設部材３の上面３ａ及び側板２の水平面２ａに配設される下地踏板４と、側板２の垂直面２ｂに配設される蹴込板６と、下地踏板４の上面４ａに固定される化粧踏板７とを備える。以下、詳しく説明する。
【００１１】
階段１は、住居等の建物内の下階と上階との階段として施工されるものとしてもよく、屋根裏部屋等のロフトへの階段として施工されるものとしてもよい。階段１を構成する一対の側板２，２は、階段１の勾配に応じて配設される平板状とされ、壁面（不示図）に沿って左右に略平行に配置される。側板２の材質は特に限定されないが、無垢の木材や、合板等の木質積層板、集成木材、木質繊維板等の木質系材料から形成されたものとしてもよく、また、合成樹脂系材料や、木粉（木質）・プラスチック複合材等から形成されたものとしてもよい。また、これらからなる基材の表面に、突板や樹脂フィルム等の表面化粧シートが貼着されたり、塗布が施されたりして表面化粧処理が施されたものとしてもよい。図１（ａ）、図１（ｂ）に示すように側板２には、雛段状に水平面２ａと垂直面２ｂとが交互に形成されており、水平面２ａには矩形状に切欠かれた凹溝２ｃが複数形成されている。凹溝２ｃは架設部材３の一方の端部３ｂが嵌合されるように形成されている。具体的には、この凹溝２ｃは、一対の側板２，２に形成された凹溝２ｃ，２ｃのそれぞれに架設部材３の左右の端部３ｂ，３ｂが嵌合され、架設部材３を固定し支持できるように形成される（図５参照）。凹溝２ｃは、上下方向に長い矩形状に切欠かれて形成されており、その深さ寸法は、架設部材３の高さ寸法（縦寸法）と略同一とされる。また凹溝２ｃの奥行き寸法は、架設部材３の厚み寸法と略同一とされる。これにより、凹溝２ｃの上方開口部から凹溝２ｃの深さ方向に向けて架設部材３を嵌合させ組み付けると、凹溝２ｃ内に架設部材３が収まり、側板２の水平面２ａと架設部材３の上面３ａとが略面一になる。なお、凹溝２ｃの形状は、架設部材３の形状、寸法に応じて設定され、図例に限定されず、前後方向に長い矩形状や略正方形に切欠かれて形成されてもよい。また、図例では、凹溝２ｃは各水平面２ａに二つずつ形成されているが、これに限定されず、水平面２ａの奥行き寸法に応じて数を増減して形成してもよい。なお、側板２が固定される壁面は、間柱等の柱材や、スタッド、鋼材、鉄筋コンクリート等の建物の構造躯体等を構成するものとしてもよい。
【００１２】
架設部材３は、一対の側板２，２の凹溝２ｃ、２ｃにその両端部３ｂ，３ｂが嵌合され固定される寸法を持つ角形の棒材とされる。架設部材３の材質も、特に限定されないが、木質系材料や合成樹脂系材料、木粉（木質）・プラスチック複合材等から形成されたものとしてもよい。架設部材３の厚さ寸法も特に限定されないが、５０ｍｍ〜１５０ｍｍ程度としてもよい。架設部材３が一対の側板２，２の凹溝２ｃ、２ｃにその両端部３ｂ，３ｂが嵌合され固定されることにより、ネジ等の固定具を用いることなく強固に固定することができる。また上述のように側板２，２の水平面２ａ，２ａと架設部材３の上面３ａとは略面一な面を形成することができるので、側板２，２の水平面２ａ，２ａと架設部材３の上面３ａに重ね合わせるように下地踏板４を配設することができる（図２（ａ）参照）。
【００１３】
図２（ａ）に示すように下地踏板４は、一対の側板２，２の水平面２ａ，２ａにその両端部が固定される横幅寸法をもつ矩形の平板状とされる。下地踏板４の材質も、特に限定されないが、木質系材料や合成樹脂系材料、木粉（木質）・プラスチック複合材等から形成されたものとしてもよい。下地踏板４の厚さ寸法も特に限定されないが、１０ｍｍ〜２５ｍｍ程度としてもよい。下地踏板４は、下地踏板４の前端面４ｂから下面４ｃにかけて切欠き形成された切欠部４０を有し、図中、４ａは上面、４ｂは前端面、４ｃは下面、４ｄは後端面、４０ａは切欠下面、４０ｂは切欠前端面を示している。切欠部４０の切欠前端面４０ｂは、下地踏板４が水平面２ａの上に設置された状態で、下段の側板２の垂直面２ｂと略面一な面をなすように形成される。下地踏板４は、後端面４ｄが側板２，２の垂直面２ｂ，２ｂに当接されるように水平面２ａ，２ａの上に載置され、その状態で固定される。下地踏板４の側板２への固定方法は特に限定されないが、図２（ｂ）に示すように下地踏板４を下方から断面略Ｌ字形状の踏板固定具５により固定するようにしてもよい。踏板固定具５は、下地踏板４の下面４ｃに当接させて下地踏板４を固定する踏板当接部５ａと、側板２の内側面２ｄに当接させて側板２に固定される側板当接部５ｂとを有している。踏板当接部５ａ及び側板当接部５ｂのそれぞれには、木ねじ等の固定具（不図示）が挿通される挿通孔が形成されており、踏板当接部５ａから挿通される固定具によって下地踏板４が踏板当接部５ａに固定され、側板当接部５ｂから挿通される固定具によって側板当接部５ｂが側板２に固定される。このように踏板固定具５によって下地踏板４を固定するようにすれば、側板２に強固に連結することができ、下地踏板４を下から支えることができるので、下地踏板４の両端部を上面４ａから固定する場合と比べて下地踏板４を保持する強度も高めることができる。また下地踏板４の上面４ａに固定具が現れないようにすることができるので、この場合、仮設階段１００として使用する際に下地踏板４を固定するための固定具にひっかける等するおそれがなく、また下地踏板４の上面４ａに化粧踏板７を施工しやすくなる。なお、下地踏板４の固定方法は、図２（ｂ）に示す例に限定されるものではない。
【００１４】
図２（ａ）に示す一対の側板２，２、架設部材３及び下地踏板４で構成される階段は、この状態で例えば住宅を建設中における汚損を防ぐための養生を要しない仮設階段１００として使用することができる。またこのような施工途中の仮設階段１００であっても、下地踏板４が一対の側板２，２に固定されるとともに、架設部材３により支持されているので、踏板としての強度が増し、昇降時の安全性を高めることができる。また、図例のものは側板２に凹溝２ｃが複数形成され、架設部材３が各段に二本ずつ設置されているので、各段に一本ずつ設置されている場合と比較して、下地踏板４の踏板としての強度を向上させることができる。
【００１５】
蹴込板６は、階段１の蹴込み部分に配設され、一対の側板２，２の垂直面２ｂ，２ｂにその両端部が固定される横幅寸法を有している。図３（ａ）等に示すように、上段の下地踏板４の切欠部４０と下段の下地踏板４の上面４ａとの間に載置できる高さ寸法を有する矩形の平板状とされる。蹴込板６の材質も特に限定されないが、無垢の木材や、合板等の木質積層材、集成木材、木質繊維板等の木質系材料から形成されたものとしてもよく、また、合成樹脂系材料や、木粉（木質）・プラスチック複合材等から形成されたものとしてもよい。また、これらからなる基材の表面に、突板や樹脂フィルム等の表面化粧シートが貼着されたり、塗装が施されたりして、表面化粧処理が施されたものとしてもよい。蹴込板６の厚さ寸法も特に限定されないが、例えば４ｍｍ〜１０ｍｍ程度の薄板状としてもよい。図中６ａは上端面、６ｂは前面、６ｃは下端面、６ｄは後面、６ｄａは上方後面、６ｂａは前方上端部、６ｂｂは前方下端部を示している。蹴込板６は、図３（ａ）に示すように後面６ｄの左右両端部が一対の側板２，２の垂直面２ｂ，２ｂに当接し、上段の下地踏板４の切欠部４０に蹴込板６の上端面６ａを合わせた状態に固定される。具体的には、蹴込板６の上方後面６ｄａが切欠部４０の切欠前端面４０ｂに当接するように配され、蹴込板６の上端面６ａが切欠部４０の切欠下面４０ａに近接もしくは当接するように配される。よって、蹴込板６を配設する際に、蹴込板６の上端面６ａが上段の下地踏板４に当たって撓むことを防止することができ、蹴込板６を収まりよく配設できる。蹴込板６は、下端面６ｃが下段の下地踏板４の上面４ａに載置され、段鼻部材８、化粧踏板７が配設された際には、前方上端部６ｂａが上段の段鼻部材８の下方端面８ｅに当接し、且つ前方下端部６ｂｂが下段の化粧踏板７の後端面７ｄに当接して配設される。蹴込板６の固定方法は特に限定されず、例えば接着剤等を用いて固定することができる。図例のように蹴込板６の前方上端部６ｂａを段鼻部材８で、前方下端部６ｂｂを化粧踏板７で挟まれている状態とし、さらに垂直面２ｂに蹴込板６の左右両端部が当接して配するようにすれば、蹴込板６を固定するための接着剤の使用量を極力抑えることができる。
【００１６】
図３（ｂ）に示すように化粧踏板７は、下地踏板４の上面４ａに重ね合わせて固定される。化粧踏板７は、下地踏板４の横幅寸法と略等しい横幅寸法と、下地踏板４の奥行き寸法より若干小さい奥行き寸法をもつ矩形の平板状とされ、上面７ａから前端面７ｂにかけて、切欠き形成された踏板切欠部７０が形成されている。化粧踏板７の材質も特に限定されず、蹴込板６と同様のものを用いることができる。化粧踏板７の厚さ寸法も特に限定されないが、下地踏板４よりも薄くしてもよく、例えば８ｍｍ〜２０ｍｍ程度としてもよい。図中、７ａは上面、７ｂは前端面、７ｃは下面、７ｄは後端面、７０は踏板切欠部を示している。化粧踏板７は、下地踏板４の上面４ａに重ね合わされ、下面７ｃと下地踏板４の上面４ａとが当接して配設される。また、化粧踏板７の後端面７ｄが、蹴込板６の前方下端部６ｂｂに当接するように配設され、この状態で下地踏板４の上面４ａに両面テープ、接着剤等で固定されている。
【００１７】
本実施形態では、蹴込板６を配設した後、化粧踏板７を配設する例を説明しているが、これに限定されず、下地踏板４の上に化粧踏板７を配設した後、蹴込板６を配するようにしてもよい。この場合は、化粧踏板７の踏板切欠部７０は、押え部材９で固定され、化粧踏板７の後端上面は、蹴込板６の下端面６ｃが当接するように配設される。よって、化粧踏板７の上面７ａの前後両端部が押さえられるので、化粧踏板７の反りを抑制することができる上、化粧踏板７を固定するための接着剤等の使用量も抑えることができる。また化粧踏板７を蹴込板６で上から押えることになるので、化粧踏板７の脱落も防止できる。
【００１８】
図４（ｂ）等に示すように段鼻部材８は、下地踏板４の上面４ａから前端面４ｂ及び切欠下面４０ａに跨って配設され、下地踏板４と略同じ横幅寸法をもつ断面略Ｕ字形状に形成された部材とされる。段鼻部材８の材質は、特に限定されず、蹴込板６や化粧踏板７と同様のものとしてもよい。図中、８ａは上覆部、８ｂは前覆部、８ｃは下覆部、８ｄは突合せ端面（段鼻部材８の一方の端面）、８ｅは下方端面（段鼻部材８の他方の端面）を示している。段鼻部材８の上覆部８ａは、化粧踏板７の上面７ａと略面一になるよう形成され、前覆部８ｂは、下地踏板４の前端面４ｂに被さるように形成され、下覆部８ｃは、下地踏板４の切欠下面４０ａを覆い隠すように形成されている。段鼻部材８の上覆部８ａには、化粧踏板７との突合せ端面８ｄに切欠き形成された段鼻切欠部８０が形成される。段鼻部材８の突合せ端面８ｄは化粧踏板７の前端面７ｂに当接し、下方端面８ｅは蹴込板６の前方上端部６ｂａに当接して配設される。段鼻部材８の段鼻切欠部８０は、化粧踏板７の踏板切欠部７０よりも大きく形成され、段鼻切欠部８０と踏板切欠部７０とを突き合わせることで双方に跨った凹溝１０が設けられる（図３（ｂ）参照）。
【００１９】
図４（ａ）に示すように段鼻切欠部８０と踏板切欠部７０とを突き合わせて形成された凹溝１０には、凹溝１０に嵌合する押え部材９が設けられる。押え部材９は、上向きに開口した断面略Ｕ字形状に形成されており、上端部９ａ，９ａは、段鼻部材８の上覆部８ａ及び化粧踏板７の上面７ａから若干突出するように形成され、押え部材９の長手方向には凹溝９ｂが形成されている。押え部材９の材質は特に限定されないが、例えば軟質の合成樹脂材料や弾性材料等からなるものとしてもよいし、押え部材９を他の部位とは異なる色が付されたものとして視認性の向上を図ったものとしてもよい。このように押え部材９を他の部位とは異なる色とすれば、化粧踏板７の踏み外し等を抑制し安全性の向上を図ることができる。図中、９ａは上端部、９ｂは凹溝、９ｃは底面を示している。押え部材９は、凹溝１０に嵌合された状態で、押え部材９と段鼻部材８を貫通し、下地踏板４に至る固定具１２により固定される（図４（ｂ）拡大図参照）。このように段鼻部材８は、踏板切欠部７０よりも大きく形成された段鼻切欠部８０を有し、凹溝１０に嵌合する押え部材９によって強固に固定することができる。また押え部材９は、段鼻部材８及び化粧踏板７の双方に跨った凹溝１０に嵌合して固定具１２によって固定される。よってこの押え部材９は、段鼻部材８と化粧踏板７の双方を一部材で一緒に固定する役割も担っている。
【００２０】
図４（ｂ）に示すように、押え部材９の凹溝９ｂには、カバー部材１１が上方から被さるように嵌合して配設されている。カバー部材１１の材質は特に限定されないが、押え部材９と同様のものとしてもよい。カバー部材１１は、断面逆Ｕ字形状に形成され、図中、１１ａは脚部、１１ｂは上面を示している。カバー部材１１は、固定具１２の頭部を覆い隠すように、脚部１１ａが押え部材９の底面９ｃに当接して配設される。カバー部材１１の上面１１ｂは、カバー部材１１が押え部材９の凹溝９ｂに嵌合している状態で、段鼻部材８の上覆部８ａと化粧踏板７の上面７ａと略同じ高さになるように形成されている。このカバー部材１１によって、押え部材９を固定する固定具１２を覆い隠すことができるので、見栄えがよい階段１とすることができる。
【００２１】
次に上記構成とされた階段１の施工手順の一例について、図１〜図５を参照しながら説明する。なお、以下に説明する手順は一例であって、これに限定されるものではない。
まず、一対の側板２，２を壁面（不図示）に沿わせて固定する。次に図１（ａ）に示すように、架設部材３を一対の側板２，２の凹溝２ｃ，２ｃに嵌合して架け渡すように配設する。このとき、より強固に凹溝２ｃに架設部材３を固定させるため、嵌合部分に接着剤を塗布してよいが、架設部材３を側板２に固定するための木ねじ等の固定手段は必要ない。また架設部材３を配設した際に、架設部材３の上面３ａに水準器を置いて水平に配設できているかの確認を行うようにしてもよい。
【００２２】
次に図２（ａ）に示すように下地踏板４を配設する。下地踏板４の下面４ｃが、側板２の水平面２ａと架設部材３の上面３ａに配され、その後端面４ｄの左右両端部が一対の側板２，２の垂直面２ｂ，２ｂに当接するように配する。そうすると切欠部４０の切欠前端面４０ｂと下段の側板２，２の垂直面２ｂ，２ｂと略面一になる。この状態で階段１設置場所の背面側にまわり、踏板固定具５の踏板当接部５ａを下地踏板４の下面４ｃに当接させ、側板当接部５ｂを側板２の内側面２ｄに当接するように配置し、この状態でネジ等の固定具を用いて踏板固定具５を固定する（図２（ｂ）参照）。このとき、下地踏板４の上面４ａに水準器を置いて水平になっているか確認も行う。以上のような施工手順を経て仮設階段１００が施工される。
【００２３】
仮設階段１００としての使用が終わったら、蹴込板６、化粧踏板７等を順次施工し階段１の仕上げ施工を行う。まず図３（ａ）に示すように蹴込板６を配設する。蹴込板６は、その下端面６ｃが下段の下地踏板４の上面４ａに載置され、蹴込板６の上端面６ａが下地踏板４の切欠部４０の切欠下面４０ａに当接もしくは近接するように設置される。また蹴込板６の上方後面６ｄａが切欠部４０の切欠前端面４０ｂに当接し、後面６ｄの左右両端部が側板２，２の垂直面２ｂ，２ｂに当接するように配する。このとき、蹴込板６は側板２，２や切欠部４０に接着剤等によって固定するようにしてもよい。
【００２４】
続いて、図３（ｂ）に示すように化粧踏板７を配設する。化粧踏板７は、下地踏板４の上面４ａに重ね合わせて配設されるとともに化粧踏板７の後端面７ｄが、蹴込板６の前方下端部６ｂｂに当接して配され、この状態で化粧踏板７を下地踏板４に両面テープ、接着剤等で固定する。
次に図４（ａ）、図４（ｂ）に示すように段鼻部材８を配設する。段鼻部材８の突合せ端面８ｄが、化粧踏板７の前端面７ｂに当接し、下方端面８ｅが、下段の蹴込板６の前方上端部６ｂａに当接して配される。段鼻部材８の段鼻切欠部８０と化粧踏板７の踏板切欠部７０とを突き合わせることで双方に跨った凹溝１０が設けられる。そして、こうして形成された凹溝１０に押え部材９を嵌合し、上方から押え部材９と段鼻部材８を貫通する固定具１２により押え部材９を凹溝１０に固定する。こうして、段鼻部材８と押え部材９を固定した後に、押え部材９の凹溝９ｂにカバー部材１１を嵌合する。以上のような施工手順を経て、図４（ｂ）、図５に示す階段１が施工される。
【００２５】
以上、本実施形態によれば、架設部材３の両端部３ｂ，３ｂが側板２，２の凹溝２ｃ，２ｃに嵌合して固定されるので、木ねじ等の固定具を用いることなく、容易に設置ができる。また、施工途中の仮設階段１００であっても、下地踏板４が下方に架け渡された架設部材３によって支持されるので、踏板としての強度を確保できる。さらに、仮設階段１００として使用している場合において、建築資材等が下地踏板４に接触し、下地踏板４にキズ等がつくことがあっても、後に化粧踏板７、段鼻部材８を配設する構成になっているので、下地踏板４についたキズ等を、化粧踏板７や段鼻部材８により覆い隠すことが可能である。よって養生の必要のない仮設階段１００とすることができる。さらに仮設階段１００の上に施工される化粧踏板７と蹴込板６とを将来的なリフォームを想定し、取り外しが容易になるように接着剤の使用を極力少なくして取り付ければ、階段１の施工後に下地踏板４をそのままにして、化粧踏板７と蹴込板６とを交換することができる。
【００２６】
なお、本実施形態における階段１、仮設階段１００、一対の側板２，２、架設部材３、下地踏板４、蹴込板６、化粧踏板７、段鼻部材８、押え部材９、カバー部材１１等の形状、構成は図例に限定されるものではない。また各部材の固定手段、固定要領等は図例に限定されず、施工手順も上述に限定されず、例えば化粧踏板７を配設するよりも先に、段鼻部材８を配設する手順を先に行ってもよい。
【符号の説明】
【００２７】
１      階段
２      側板
２ａ    水平面
２ｂ    垂直面
２ｃ    凹溝
３      架設部材
３ａ    上面
３ｂ    端部
４      下地踏板
４ａ    上面
６      蹴込板
７      化粧踏板  
【図１】
0006697735.tif 000002
【図２】
0006697735.tif 000003
【図３】
0006697735.tif 000004
【図４】
0006697735.tif 000005
【図５】
0006697735.tif 000006